(57)【特許請求の範囲】
【請求項１】
輝度信号のシンクチップに対応する周波数が周波数ｆｓとなり、輝度信号のホワイトピークに対応する周波数が周波数ｆｗとなるＦＭ輝度信号を磁気テープに記録する磁気記録装置において、
前記ＦＭ輝度信号の周波数帯域の最低周波数を周波数ｆａとするとき、
搬送波の周波数が前記ＦＭ輝度信号の搬送波の周波数より高い周波数に設定され、シンクチップに対応する周波数とホワイトピークに対応する周波数との相対的関係が、周波数ｆｓと周波数ｆｗとの相対的関係に等しいＦＭ輝度信号である変移ＦＭ輝度信号を生成するＦＭ変調回路と、
前記変移ＦＭ輝度信号の周波数帯域の最低周波数より、周波数ｆａを２倍した周波数分だけ低い周波数をカットオフ周波数とするとき、
前記変移ＦＭ輝度信号に含まれた信号成分のうち、カットオフ周波数より低い信号成分を除去するフィルタ回路と、
前記変移ＦＭ輝度信号の搬送波の周波数より低い周波数の局部発振信号を用いることによって、前記フィルタ回路から送出される前記変移ＦＭ輝度信号を周波数変換することにより、前記ＦＭ輝度信号を生成する周波数変換回路と、
周波数変換回路において生成された前記ＦＭ輝度信号における信号成分のうち、低域変換色信号の周波数帯域と重なる信号成分を除去するイコライザ回路とを備えたことを特徴とする磁気記録装置。
【請求項２】
前記局部発振信号の周波数を、前記ＦＭ輝度信号の周波数帯域の最高周波数より高くしたことを特徴とする請求項１記載の磁気記録装置。
【請求項３】
輝度信号のシンクチップに対応する周波数が周波数ｆｓとなり、輝度信号のホワイトピークに対応する周波数が周波数ｆｗとなるＦＭ輝度信号を磁気テープに記録する磁気記録装置において、
前記ＦＭ輝度信号の周波数帯域の最低周波数を周波数ｆａとするとき、
搬送波の周波数が前記ＦＭ輝度信号の搬送波の周波数より高い周波数に設定され、シンクチップに対応する周波数とホワイトピークに対応する周波数との差異が周波数ｆｓと周波数ｆｗとの差異に等しく、且つ、シンクチップに対応する周波数とホワイトピークに対応する周波数との高低の関係が、周波数ｆｓと周波数ｆｗとの高低の関係と逆になったＦＭ輝度信号である変移ＦＭ輝度信号を生成するＦＭ変調回路と、
前記変移ＦＭ輝度信号の周波数帯域の最高周波数より、周波数ｆａを２倍した周波数分だけ高い周波数をカットオフ周波数とするとき、
前記変移ＦＭ輝度信号に含まれた信号成分のうち、カットオフ周波数より高い信号成分を除去するフィルタ回路と、
前記変移ＦＭ輝度信号の搬送波の周波数より高い周波数の局部発振信号を用いることによって、前記フィルタ回路から送出される前記変移ＦＭ輝度信号を周波数変換することにより、前記ＦＭ輝度信号を生成する周波数変換回路と、
周波数変換回路において生成された前記ＦＭ輝度信号における信号成分のうち、低域変換色信号の周波数帯域と重なる信号成分を除去するイコライザ回路とを備えたことを特徴とする磁気記録装置。
【発明の詳細な説明】
【０００１】
【発明の属する技術分野】
本発明は、ＦＭ輝度信号を磁気テープに記録する磁気記録装置に係り、より詳細には、折り返された側波帯成分による画質劣化を防止した磁気記録装置に関するものである。
【０００２】
【従来の技術】
ビデオカセットデッキにおいては、輝度信号中の高域成分のＳ／Ｎ比の劣化に伴う解像度の低下を防止するため、プリエンファシス回路を用いることにより、予め高域成分のレベルを高めた輝度信号に基づいて、ＦＭ輝度信号を生成している（第１の従来技術とする）。
【０００３】
また、実開昭５９−２５８７６号として提案された従来技術では、輝度信号記録処理回路と輝度信号再生処理回路とのそれぞれに、ＦＭ輝度信号の低域周波数成分を除去する可変トラップ回路を設けることにより、画質の劣化を防止している（第２の従来技術とする）。
【０００４】
また、本願出願人により特開平６−３０３５７５号として提案された技術があり、この技術では、ビデオ信号から抽出した高域成分を、垂直ブランキング期間に挿入して記録する構成としている。そして、２倍モードや３倍モード時の記録再生において生じる高域成分の減少を、垂直ブランキング期間に挿入した高域成分でもって補間することにより、ビデオテープの走行速度を標準速度より遅くした場合の解像度の低下を抑制している（第３の従来技術とする）。
【０００５】
【発明が解決しようとする課題】
しかしながら第１の従来技術を用いた場合では、以下に示す問題を生じていた。すなわち、輝度信号が、極めてくっきりとした縦縞画像を示す信号である場合、ＦＭ輝度信号はＦＭ変調度の深い信号となる。言い換えると、ＦＭ輝度信号は、レベルの強い高次の側波帯を含んだ信号となる。従って、縦縞模様が細くなる場合では、プリエンファシス回路の作用も伴うため、ＦＭ輝度信号には、ＦＭ輝度信号として規定された周波数帯域を越えた範囲に、高次の側波帯が生じることになる。
【０００６】
このことを図４を参照しつつ説明する（図４では、ＦＭ輝度信号の搬送波の周波数を、スペクトラム８０の周波数でもって代表させている）。いま、輝度信号に、例えば、２．５ＭＨＺのレベルの強い信号成分が含まれているとすると、ＦＭ輝度信号には、この信号成分に対応して、一次の側波帯の他に、二次の側波帯や三次の側波帯、あるいは、より高次の側波帯が生じる。すなわち、ＦＭ輝度信号の搬送波８０の周波数より低い側に、一次の側波帯８１、二次の側波帯８２、三次の側波帯８３が生じる。また、搬送波８０の周波数の高い側についても同様となる（四次以上の高次の側波帯については図示を省略している）。
【０００７】
一方、搬送波８０の周波数は、ＮＴＳＣ方式では、４．５ＭＨＺ程度である。このため、二次の側波帯８２と三次の側波帯８３とは、周波数の０ＨＺを折り返し点として折り返される信号となる。従って、二次の側波帯８２は側波帯９２として折り返され、三次の側波帯８３は側波帯９３として折り返される。また、折り返された側波帯９２，９３は、ＦＭ輝度信号の周波数帯域内の信号となる。その結果、側波帯９２，９３は、ＦＭ輝度信号中に混入したノイズ成分として作用することになり、画質が劣化する（モワレ現象が生じる）という問題を招いていた。
【０００８】
また、第２の従来技術は、ＦＭ輝度信号が低域変換色信号に混入することを防止する技術となっているので、上記した折り返しにより生じる側波帯の影響を除去することができない。また、第３の従来技術は、ビデオテープの走行速度が遅いとき生じる高域成分の減少を抑制する技術となっているので、同様に、折り返しにより生じる側波帯の影響を除去することができない。
【０００９】
本発明は上記課題を解決するため創案されたものであって、請求項１および３記載の発明の目的は、搬送波の周波数を高くした変移ＦＭ輝度信号を生成し、次いで生成した変移ＦＭ輝度信号から、折り返しが生じたときにはＦＭ輝度信号の周波数帯域内の信号となる信号成分を除去した後、周波数変換を行うことによって、所定周波数のＦＭ輝度信号を得ることにより、側波帯の折り返しにより生じる画質の劣化を防止することのできる磁気記録装置を提供することにある。
【００１０】
また請求項２記載の発明の目的は、上記目的に加え、局部発振信号が周波数変換回路から漏れるときにも、画質の劣化を防止することのできる磁気記録装置を提供することにある。
【００１１】
【課題を解決するための手段】
上記課題を解決するため請求項１記載の発明に係る磁気記録装置は、輝度信号のシンクチップに対応する周波数が周波数ｆｓとなり、輝度信号のホワイトピークに対応する周波数が周波数ｆｗとなるＦＭ輝度信号を磁気テープに記録する磁気記録装置に適用し、前記ＦＭ輝度信号の周波数帯域の最低周波数を周波数ｆａとするとき、搬送波の周波数が前記ＦＭ輝度信号の搬送波の周波数より高い周波数に設定され、シンクチップに対応する周波数とホワイトピークに対応する周波数との相対的関係が、周波数ｆｓと周波数ｆｗとの相対的関係に等しいＦＭ輝度信号である変移ＦＭ輝度信号を生成するＦＭ変調回路と、前記変移ＦＭ輝度信号の周波数帯域の最低周波数より、周波数ｆａを２倍した周波数分だけ低い周波数をカットオフ周波数とするとき、前記変移ＦＭ輝度信号に含まれた信号成分のうち、カットオフ周波数より低い信号成分を除去するフィルタ回路と、前記変移ＦＭ輝度信号の搬送波の周波数より低い周波数の局部発振信号を用いることによって、前記フィルタ回路から送出される前記変移ＦＭ輝度信号を周波数変換することにより、前記ＦＭ輝度信号を生成する周波数変換回路と、周波数変換回路において生成された前記ＦＭ輝度信号における信号成分のうち、低域変換色信号の周波数帯域と重なる信号成分を除去するイコライザ回路とを備えた構成としている。
【００１２】
すなわち、フィルタ回路は、カットオフ周波数より低い周波数の信号成分を除去する。また、カットオフ周波数は、変移ＦＭ輝度信号の周波数帯域の最低周波数より、周波数ｆａを２倍した周波数分だけ低い周波数となっている。従って、周波数変換において折り返しが生じたときにも、折り返された信号成分は、ＦＭ輝度信号の帯域外の信号となる。つまり、周波数変換回路から送出されるＦＭ輝度信号は、折り返しにより生じた側波帯を帯域内に含まない信号となる。
【００１３】
また請求項２記載の発明に係る磁気記録装置は、上記構成に加え、前記局部発振信号の周波数を、前記ＦＭ輝度信号の周波数帯域の最高周波数より高くしている。すなわち、局部発振信号は、ＦＭ輝度信号の周波数帯域外の信号となる。
【００１４】
また請求項３記載の発明に係る磁気記録装置は、輝度信号のシンクチップに対応する周波数が周波数ｆｓとなり、輝度信号のホワイトピークに対応する周波数が周波数ｆｗとなるＦＭ輝度信号を磁気テープに記録する磁気記録装置に適用し、前記ＦＭ輝度信号の周波数帯域の最低周波数を周波数ｆａとするとき、搬送波の周波数が前記ＦＭ輝度信号の搬送波の周波数より高い周波数に設定され、シンクチップに対応する周波数とホワイトピークに対応する周波数との差異が周波数ｆｓと周波数ｆｗとの差異に等しく、且つ、シンクチップに対応する周波数とホワイトピークに対応する周波数との高低の関係が、周波数ｆｓと周波数ｆｗとの高低の関係と逆になったＦＭ輝度信号である変移ＦＭ輝度信号を生成するＦＭ変調回路と、前記変移ＦＭ輝度信号の周波数帯域の最高周波数より、周波数ｆａを２倍した周波数分だけ高い周波数をカットオフ周波数とするとき、前記変移ＦＭ輝度信号に含まれた信号成分のうち、カットオフ周波数より高い信号成分を除去するフィルタ回路と、前記変移ＦＭ輝度信号の搬送波の周波数より高い周波数の局部発振信号を用いることによって、前記フィルタ回路から送出される前記変移ＦＭ輝度信号を周波数変換することにより、前記ＦＭ輝度信号を生成する周波数変換回路と、周波数変換回路において生成された前記ＦＭ輝度信号における信号成分のうち、低域変換色信号の周波数帯域と重なる信号成分を除去するイコライザ回路とを備えた構成としている。
【００１５】
すなわち、フィルタ回路は、カットオフ周波数より高い周波数の信号成分を除去する。また、カットオフ周波数は、変移ＦＭ輝度信号の周波数帯域の最高周波数より、周波数ｆａを２倍した周波数分だけ高い周波数となっている。従って、周波数変換において折り返しが生じたときにも、折り返された信号成分は、ＦＭ輝度信号の帯域外の信号となる。つまり、周波数変換回路から送出されるＦＭ輝度信号は、折り返しにより生じた側波帯を帯域内に含まない信号となる。
【００１６】
【発明の実施の形態】
以下に本発明の実施例の形態を、図面を参照しつつ説明する。
図１は、請求項１記載の発明に係る磁気記録装置の一実施形態の電気的構成を示すブロック線図であり、ＮＴＳＣ方式の輝度信号の録画を行うためのブロックを示している。また、図２は、変移ＦＭ輝度信号とＦＭ輝度信号とのスペクトラムを示す説明図となっている。
【００１７】
図において、プリエンファシス回路１は、信号線を介して導かれた輝度信号１１の高域成分のＳ／Ｎ比の劣化に伴う解像度の低下を防止するため、予め高域成分のレベルを高めるための回路となっている。そして、プリエンファシスを行った輝度信号をクランプ・デビエーション回路２に送出する。クランプ・デビエーション回路２は、輝度信号のペデスタルレベルが一定のレベルとなるように、輝度信号のレベルをクランプするブロックとなっている。また、輝度信号中のシンクチップに対応するＦＭ輝度信号の周波数と、ホワイトピークに対応するＦＭ輝度信号の周波数とのそれぞれが所定の周波数となるように、輝度信号のレベルを補正するブロックとなっている。そして、補正を行った輝度信号をＦＭ変調回路３に送出する。
【００１８】
ＦＭ変調回路３は、クランプ・デビエーション回路２から出力された輝度信号に基づいて、図２の２１にスペクトラムを示す変移ＦＭ輝度信号を生成し、バンドパスフィルタ４に送出するブロックとなっている。なお、変移ＦＭ輝度信号２１の搬送波の周波数は、ＦＭ輝度信号２３の搬送波の周波数より高く設定されている。
【００１９】
また、ＦＭ変調回路３が生成する変移ＦＭ輝度信号２１のシンクチップに対応する周波数ｆｃと、変移ＦＭ輝度信号２１のホワイトピークに対応する周波数ｆｄとの相対的関係は、ＮＴＳＣ方式として規定されたＦＭ輝度信号（２３により示す）のシンクチップに対応する周波数ｆｓと、ＦＭ輝度信号２３のホワイトピークに対応する周波数ｆｗとの相対的関係に等しくなっている。
【００２０】
すなわち、ＦＭ輝度信号２３のシンクチップに対応する周波数ｆｓ（４．４ＭＨＺ）とホワイトピークに対応する周波数ｆｗ（５．４ＭＨＺ）との関係は、
ｆｓ＜ｆｗ
となっていることから、変移ＦＭ輝度信号２１のシンクチップに対応する周波数ｆｃとホワイトピークに対応する周波数ｆｄとの関係は、
ｆｃ＜ｆｄ
となっている。また、周波数ｆｃと周波数ｆｄとの差異は、周波数ｆｓと周波数ｆｗとの差異に等しい１ＭＨＺとなっている。
【００２１】
フィルタ回路４は、ＦＭ変調回路３において生成されたＦＭ輝度信号２１から、所定範囲の側波帯成分を除去するフィルタとなっている（後に詳述する）。また、発振回路５は、ＦＭ変調回路３から出力される変移ＦＭ輝度信号２１の搬送波の周波数より低く、且つ、ＦＭ輝度信号２３の周波数帯域４６の最高周波数ｆｂよりも高い周波数である１０ＭＨＺの局部発振信号を生成し、ＦＭ変調回路３に出力するブロックとなっている。
【００２２】
周波数変換回路６は、発振回路５から送出される局部発振信号に基づいて、フィルタ回路４から送出される変移ＦＭ輝度信号２２を、ＮＴＳＣ方式として規定されたＦＭ輝度信号２３の周波数に周波数変換するためのブロックとなっている。すなわち、周波数変換回路６は、ＦＭ変調回路３において生成された変移ＦＭ輝度信号２１のシンクチップに対応する周波数ｆｃ（１４．４ＭＨＺ）を、ＮＴＳＣ方式のＦＭ輝度信号２３のシンクチップに対応する周波数の４．４ＭＨＺに変換する。また、ＦＭ輝度信号２１のホワイトピークに対応する周波数ｆｄ（１５．４ＭＨＺ）を、ＦＭ輝度信号２３のホワイトピークに対応する周波数の５．４ＭＨＺに変換する。
【００２３】
イコライザ回路７は、回転ヘッド８の記録時の周波数特性に対応して、周波数変換回路６から送出されたＦＭ輝度信号のレベル特性を補正するブロックとなっている。また、低域変換色信号の周波数帯域に重なる信号成分を除去する。なお、上記したプリエンファシス回路１、クランプ・デビエーション回路２、および、イコライザ回路７は、従来技術として公知の構成となっている。
【００２４】
以下に、局部発振信号を１０ＭＨＺとした理由について説明する。すなわち、周波数変換回路６の出力には、周波数変換されたＦＭ輝度信号２３の他に、発振回路５から出力される局部発振信号も、レベルの強い信号として含まれることになる。従って、局部発振信号は、ＦＭ輝度信号２３と共に回転ヘッド８に導かれ、磁気テープに記録されることになる。このため、局部発振信号の周波数が、最高周波数ｆｂより低い周波数となる場合では、再生信号中に局部発振信号が含まれることになり、再生時の画質を劣化させる。つまり、画質劣化を防止するためには、局部発振信号を、周波数帯域４６の最高周波数ｆｂである８ＭＨＺより高くする必要があるからである。
【００２５】
以下に、フィルタ回路４の詳細について説明する。なお、ＮＴＳＣ方式のＦＭ輝度信号２３の周波数帯域４６の最低周波数を周波数ｆａとし、変移ＦＭ輝度信号２１の周波数帯域４２の最低周波数を周波数ｆｇ（周波数帯域４２の幅は、周波数帯域４６の幅に等しい）とし、最低周波数ｆｇより、周波数ｆａを２倍した周波数分だけ低い周波数を、カットオフ周波数ｆｃｕｔ１とする。また、周波数帯域４３と周波数帯域４４とは、共に、周波数帯域の幅がｆａであるとする。
【００２６】
既に説明したように、ＦＭ変調回路３により生成された変移ＦＭ輝度信号２１は、ＮＴＳＣ方式の周波数に一致するＦＭ輝度信号２３に周波数変換される。従って、周波数帯域４３の信号成分は、０〜周波数ｆａまでの周波数帯域４７の信号に変換される。また、周波数帯域４４の信号は、周波数変換において折り返され、０〜周波数ｆａまでの周波数帯域４７の信号となる。また、変移ＦＭ輝度信号２１における信号成分のうち、カットオフ周波数ｆｃｕｔ１より低い周波数帯域の信号成分は、周波数変換によって折り返されたときには、周波数帯域４６に入り込む信号となる。
【００２７】
このことは、カットオフ周波数ｆｃｕｔ１より低い周波数帯域の信号成分が、変移ＦＭ輝度信号２１から除去されている場合では、周波数変換において折り返しが生じたときにも、周波数帯域４６に入り込む信号成分は生じないことを意味する。このため、フィルタ回路４に要求されることは、カットオフ周波数ｆｃｕｔ１より周波数が低い信号成分を除去することである。すなわち、破線２６により示すローカット特性を備えることである。
【００２８】
なお、本実施形態では、周波数変換回路６において、信号成分の互いの干渉により、不要な信号成分が発生することを防止する目的から、フィルタ回路４を、周波数帯域４２のみを通過させるバンドパスフィルタとしている（通過特性を実線２５により示す）。従って、周波数帯域４３，４４の信号成分も除去されるので、周波数変換により得られるＦＭ輝度信号は、帯域４７の信号成分が除去された信号となる。このため、低域変換色信号への影響を、より少なくすることが可能となっている。
【００２９】
以下に、上記構成からなる実施形態の動作を説明する。
ＦＭ変調回路３には、プリエンファシス回路１によって高域成分が増強されると共に、クランプ・デビエーション回路２によってレベル調整された輝度信号が導かれる。また、ＦＭ変調回路３は、導かれた輝度信号に従って変移ＦＭ輝度信号２１を生成する。いま、輝度信号１１が、極めてくっきりとした細い縦縞画像を示す信号になっているとする。このため、変移ＦＭ輝度信号２１には、一次の側波帯３１，３４が生じると共に、二次の側波帯３２，３５や三次の側波帯３３，３６が生じているとする。
【００３０】
フィルタ回路４は、周波数帯域４２より低い周波数成分、および周波数帯域４２より高い周波数成分を除去する。このため、フィルタ回路４から出力される変移ＦＭ輝度信号２２は、二次の側波帯３２，３５や三次の側波帯３３，３６が除去された信号となる。そして、フィルタ回路４から出力された変移ＦＭ輝度信号２２は、周波数変換回路６によって周波数変換される。このため、周波数変換回路６からは、２３に示すように、ＮＴＳＣ方式の規格を満たすＦＭ輝度信号が出力される。すなわち、ＦＭ輝度信号２３は、一次の側波帯３７，３８を含むが、モワレ現象の原因となる二次の側波帯３２や三次の側波帯３３の影響が除去された信号となる。
【００３１】
なお、例えば、フィルタ回路４を、カットオフ周波数がｆｇであるハイパスフィルタとしたときには、周波数変換回路６に導かれる変移ＦＭ輝度信号２２は、側波帯３５，３６を含んだ信号となる。しかし、側波帯３５，３６は、周波数変換において折り返される信号とはならず、周波数変換後では、周波数帯域４６より高い周波数の信号となる。このため、側波帯３５，３６の影響は、実用上は無視することが可能となる。
【００３２】
また、例えば、フィルタ回路４を、カットオフ周波数がｆｃｕｔ１であるハイパスフィルタとしたときには、周波数変換回路６に導かれる変移ＦＭ輝度信号２２は、側波帯３２と、側波帯３５，３６とを含んだ信号となる。しかし、側波帯３５，３６は、周波数変換において折り返される信号とはならず、周波数変換後では、周波数帯域４６より周波数の高い信号となる。このため、側波帯３５，３６の影響は、実用上は無視することが可能となる。また、側波帯３２は、周波数変換後では、折り返され、周波数帯域４７内の信号となるが、イコライザ回路７によって除去されることになる。このため、側波帯３２の影響は、実用上では、ほぼ無視することが可能となる。
【００３３】
以下に、請求項３記載の発明に係る磁気記録装置の一実施形態について説明する。なお、この実施形態に使用される輝度信号記録回路の電気的構成は、ブロック線図としては、図１に示す構成と同一となる。このため、図１を参照しつつ、請求項１記載の実施形態と異なる点についてのみ、構成を説明する。
【００３４】
ＦＭ変調回路３は、クランプ・デビエーション回路２から出力された輝度信号に基づいて、図３の５１にスペクトラムを示す変移ＦＭ輝度信号を生成し、バンドパスフィルタ４に送出する。なお、ＦＭ変調回路３が生成する変移ＦＭ輝度信号５１のシンクチップに対応する周波数ｆｊと、変移ＦＭ輝度信号５１のホワイトピークに対応する周波数ｆｉとの関係は、
ｆｉ＜ｆｊ
となっている。つまり、シンクチップに対応する周波数ｆｊが、ホワイトピークに対応する周波数ｆｉより高くなっている。すなわち、変移ＦＭ輝度信号５１は、ＮＴＳＣ方式のＦＭ輝度信号２３との対応関係において、周波数の高低の関係が反転した信号となっている。
【００３５】
また周波数ｆｉと周波数ｆｊとの差異は、ＮＴＳＣ方式として規定されたＦＭ輝度信号（２３により示す）のシンクチップに対応する周波数ｆｓ（４．４ＭＨＺ）と、ホワイトピークに対応する周波数ｆｗ（５．４ＭＨＺ）との差異（１ＭＨＺ）に等しくなっている。詳細には、変移ＦＭ輝度信号５１のホワイトピークに対応する周波数ｆｉは１２．６ＭＨＺ、シンクチップに対応する周波数ｆｊは１３．６ＭＨＺとなっている。
【００３６】
発振回路５は、ＦＭ変調回路３から出力される変移ＦＭ輝度信号５１の搬送波の周波数より高い周波数の局部発振信号を生成し、ＦＭ変調回路３に出力するブロックとなっている。なお、局部発振信号の周波数は、１８ＭＨＺとなっている。このため、シンクチップに対応する周波数ｆｊは、ＮＴＳＣ方式のＦＭ輝度信号２３のシンクチップの周波数ｆｓに等しい４．４ＭＨＺに周波数変換される。また、ホワイトピークに対応する周波数ｆｉは、ＮＴＳＣ方式のＦＭ輝度信号２３のホワイトピークの周波数ｆｓに等しい５．４ＭＨＺに周波数変換される。
【００３７】
以下に、フィルタ回路４の詳細について説明する。なお、ＮＴＳＣ方式のＦＭ輝度信号２３の周波数帯域４６の最低周波数を周波数ｆａとし、変移ＦＭ輝度信号５１の周波数帯域７２の最高周波数を周波数ｆｈ（周波数帯域７２の幅は、周波数帯域４６の幅に等しい）とし、最高周波数ｆｈより、周波数ｆａを２倍した周波数分だけ高い周波数を、カットオフ周波数ｆｃｕｔ２とする。また、周波数帯域７３と周波数帯域７４とは、共に、周波数帯域の幅がｆａであるとする。
【００３８】
既に説明したように、ＦＭ変調回路３により生成された変移ＦＭ輝度信号５１は、ＮＴＳＣ方式の周波数に一致するＦＭ輝度信号２３に周波数変換される。従って、周波数帯域７３の信号成分は、０〜周波数ｆａまでの周波数帯域４７の信号に変換される。また、周波数帯域７４の信号は、周波数変換において折り返され、０〜周波数ｆａまでの周波数帯域４７の信号となる。そして、変移ＦＭ輝度信号５１における信号成分のうち、カットオフ周波数ｆｃｕｔ２より高い周波数帯域の信号成分は、周波数変換によって折り返されたときには、周波数帯域４６に入り込む信号となる。
【００３９】
このことは、カットオフ周波数ｆｃｕｔ２より高い周波数帯域の信号成分が、変移ＦＭ輝度信号５１から除去されている場合では、周波数変換において折り返しが生じたときにも、周波数帯域４６に入り込む信号成分は生じないことを意味する。このため、フィルタ回路４に要求されることは、カットオフ周波数ｆｃｕｔ２より周波数が高い信号成分を除去することである。すなわち、破線５６により示すハイカット特性を備えることである。
【００４０】
なお、本実施形態では、周波数変換回路６において、信号成分の互いの干渉により、不要な信号成分が発生することを防止する目的から、フィルタ回路４を、周波数帯域７２のみを通過させるバンドパスフィルタとしている（通過特性を実線５５により示す）。従って、周波数帯域７３，７４の信号成分も除去されるので、周波数変換により得られるＦＭ輝度信号は、帯域４７の信号成分が除去された信号となる。このため、低域変換色信号への影響を、より少なくすることが可能となっている。
【００４１】
以下に、上記構成からなる実施形態の動作を説明する。
ＦＭ変調回路３には、プリエンファシス回路１によって高域成分が増強されると共に、クランプ・デビエーション回路２によってレベル調整された輝度信号が導かれる。また、ＦＭ変調回路３は、導かれた輝度信号に従って変移ＦＭ輝度信号５１を生成する。いま、輝度信号１１が、極めてくっきりとした細い縦縞画像を示す信号になっているとする。このため、変移ＦＭ輝度信号５１には、一次の側波帯６１，６４が生じると共に、二次の側波帯６２，６５や三次の側波帯６３，６６が生じているとする。
【００４２】
フィルタ回路４は、周波数帯域７２より高い周波数成分、および周波数帯域７２より低い周波数成分を除去する。このため、フィルタ回路４から出力される変移ＦＭ輝度信号５２は、二次の側波帯６２，６５や三次の側波帯６３，６６が除去された信号となる。そして、フィルタ回路４から出力された変移ＦＭ輝度信号５２は、周波数変換回路６によって周波数変換される。このため、周波数変換回路６からは、２３に示すように、ＮＴＳＣ方式の規格を満たすＦＭ輝度信号が出力される。すなわち、ＦＭ輝度信号２３は、一次の側波帯６７，６８を含むが、モワレ現象の原因となる二次の側波帯６５や三次の側波帯６６の影響が除去された信号となる。
【００４３】
なお、例えば、フィルタ回路４を、カットオフ周波数がｆｈであるローパスフィルタとしたときには、周波数変換回路６に導かれる変移ＦＭ輝度信号５２は、側波帯６２，６３を含んだ信号となる。しかし、側波帯６２，６３は、周波数変換において折り返される信号とはならず、周波数変換後では、周波数帯域４６より周波数が高い信号となる。このため、側波帯６２，６３の影響は、実用上は無視することが可能となる。
【００４４】
また、例えば、フィルタ回路４を、カットオフ周波数がｆｃｕｔ２であるローパスフィルタとしたときには、周波数変換回路６に導かれる変移ＦＭ輝度信号５２は、側波帯６５と、側波帯６２，６３とを含んだ信号となる。しかし、側波帯６２，６３は、周波数変換において折り返される信号とはならず、周波数変換後では、周波数帯域４６より周波数が高い信号となる。このため、側波帯６２，６３の影響は、実用上は無視することが可能となる。また、側波帯６５は、周波数変換後では、折り返され、周波数帯域４７内の信号となるが、イコライザ回路７によって除去されることになる。このため、実用上では、側波帯６５の影響は、ほぼ無視することが可能となる。
【００４５】
なお、本発明は上記実施形態に限定されず、ＮＴＳＣ方式のＦＭ輝度信号に適用した場合について説明したが、その他の方式として、例えば、ＰＡＬ方式のＦＭ輝度信号等の場合にも、同様に適用することが可能となっている。
【００４６】
【発明の効果】
請求項１記載の発明に係る磁気記録装置は、ＦＭ輝度信号の周波数帯域の最低周波数を周波数ｆａとするとき、搬送波の周波数が前記ＦＭ輝度信号の搬送波の周波数より高い周波数に設定され、シンクチップに対応する周波数とホワイトピークに対応する周波数との相対的関係が、ＮＴＳＣ方式の周波数ｆｓと周波数ｆｗとの相対的関係に等しいＦＭ輝度信号である変移ＦＭ輝度信号を生成するＦＭ変調回路と、前記変移ＦＭ輝度信号の周波数帯域の最低周波数より、周波数ｆａを２倍した周波数分だけ低い周波数をカットオフ周波数とするとき、前記変移ＦＭ輝度信号に含まれた信号成分のうち、カットオフ周波数より低い信号成分を除去するフィルタ回路と、前記変移ＦＭ輝度信号の搬送波の周波数より低い周波数の局部発振信号を用いることによって、前記フィルタ回路から送出される前記変移ＦＭ輝度信号を周波数変換することにより、前記ＦＭ輝度信号を生成する周波数変換回路と、周波数変換回路において生成された前記ＦＭ輝度信号における信号成分のうち、低域変換色信号の周波数帯域と重なる信号成分を除去するイコライザ回路とを備えた構成としている。従って、周波数変換において折り返しが生じたときにも、折り返された信号成分は、ＦＭ輝度信号の帯域外の信号となる。つまり、周波数変換回路から送出されるＦＭ輝度信号は、折り返しにより生じた側波帯を帯域内に含まない信号となる。このため、側波帯の折り返しにより生じる画質の劣化を防止することが可能となっている。
【００４７】
また請求項２記載の発明に係る磁気記録装置は、前記局部発振信号の周波数を、前記ＦＭ輝度信号の周波数帯域の最高周波数より高くしている。このため、局部発振信号は、ＦＭ輝度信号の周波数帯域外の信号となるので、局部発振信号が周波数変換回路から漏れるときにも、画質の劣化を防止することが可能となっている。
【００４８】
また請求項３記載の発明に係る磁気記録装置は、ＦＭ輝度信号の周波数帯域の最低周波数を周波数ｆａとするとき、搬送波の周波数が前記ＦＭ輝度信号の搬送波の周波数より高い周波数に設定され、シンクチップに対応する周波数とホワイトピークに対応する周波数との差異が、ＮＴＳＣ方式の周波数ｆｓと周波数ｆｗとの差異に等しく、且つ、シンクチップに対応する周波数とホワイトピークに対応する周波数との高低の関係が、周波数ｆｓと周波数ｆｗとの高低の関係と逆になったＦＭ輝度信号である変移ＦＭ輝度信号を生成するＦＭ変調回路と、前記変移ＦＭ輝度信号の周波数帯域の最高周波数より、周波数ｆａを２倍した周波数分だけ高い周波数をカットオフ周波数とするとき、前記変移ＦＭ輝度信号に含まれた信号成分のうち、カットオフ周波数より高い信号成分を除去するフィルタ回路と、前記変移ＦＭ輝度信号の搬送波の周波数より高い周波数の局部発振信号を用いることによって、前記フィルタ回路から送出される前記変移ＦＭ輝度信号を周波数変換することにより、前記ＦＭ輝度信号を生成する周波数変換回路と、周波数変換回路において生成された前記ＦＭ輝度信号における信号成分のうち、低域変換色信号の周波数帯域と重なる信号成分を除去するイコライザ回路とを備えた構成としている。従って、周波数変換において折り返しが生じたときにも、折り返された信号成分は、ＦＭ輝度信号の帯域外の信号となる。つまり、周波数変換回路から送出されるＦＭ輝度信号は、折り返しにより生じた側波帯を帯域内に含まない信号となる。このため、側波帯の折り返しにより生じる画質の劣化を防止することが可能となっている。
【図面の簡単な説明】
【図１】本発明に係る磁気記録装置の電気的構成を示すブロック線図である。
【図２】請求項１記載の発明の実施形態の変移ＦＭ輝度信号とＦＭ輝度信号とのスペクトラムを示す説明図である。
【図３】請求項３記載の発明の実施形態の変移ＦＭ輝度信号とＦＭ輝度信号とのスペクトラムを示す説明図である。
【図４】従来技術のＦＭ輝度信号のスペクトラムを示す説明図である。
【符号の説明】
３  ＦＭ変調回路
４  フィルタ回路
６  周波数変換回路
２１  変移ＦＭ輝度信号
２３  ＦＭ輝度信号
２５，２６  フィルタ回路の特性
３１，３４  一次の側波帯
３２，３５  二次の側波帯
３３，３６  三次の側波帯
４２  変移ＦＭ輝度信号の周波数帯域
４６  ＦＭ輝度信号の周波数帯域
５１  変移ＦＭ輝度信号
５５，５６  フィルタ回路の特性
６１，６４  一次の側波帯
６２，６５  二次の側波帯
６３，６６  三次の側波帯
７２  変移ＦＭ輝度信号の周波数帯域
ｆａ  ＦＭ輝度信号の周波数帯域の最低周波数
ｆｂ  ＦＭ輝度信号の周波数帯域の最高周波数
ｆｃ  シンクチップの周波数
ｆｄ  ホワイトピークの周波数
ｆｇ  変移ＦＭ輝度信号の周波数帯域の最低周波数
ｆｈ  変移ＦＭ輝度信号の周波数帯域の最高周波数
ｆｉ  ホワイトピークの周波数
ｆｊ  シンクチップの周波数
ｆｓ  ＮＴＳＣ方式ＦＭ輝度信号のシンクチップの周波数
ｆｗ  ＮＴＳＣ方式ＦＭ輝度信号のホワイトピークの周波数
ｆｃｕｔ１，ｆｃｕｔ２  カットオフ周波数
【図１】
0003541873.tif 000002
【図２】
0003541873.tif 000003
【図３】
0003541873.tif 000004
【図４】
0003541873.tif 000005